(57)【要約】【課題】より新しい情報を見やすい位置に配置して表示するとともに、表示情報の新旧関係を容易に把握でき、表示更新動作中も読み続けられる表示装置、表示制御方法及び制御プログラムを提供する。【解決手段】デジタルサイネージ端末装置１４は新たな表示対象の情報が入力される毎に、既に表示していた表示対象の情報の表示画面上の表示位置を、所定の渦巻き状の経路に沿って移動させるとともに表示対象の情報の表示サイズが経路上で徐々に小さくなるようにする。【選択図】図１
2012160081.tif 000002
【特許請求の範囲】
【請求項１】
入力された複数の表示対象の情報を表示画面に表示する表示装置において、
新たな表示対象の情報が入力される毎に、既に表示していた表示対象の情報の前記表示画面上の表示位置を、所定の経路に沿って移動させるとともに、表示対象の情報の表示サイズが前記経路上で徐々に小さくなるようにする表示制御手段を備えている表示装置。
【請求項２】
前記表示制御手段は、新たに表示する表示対象の情報を、表示開始時に前記表示画面の略中央部に表示し、当該表示画面の略中央部を始点とする渦巻き形状の経路に沿って表示位置を移動させる、
請求項１記載の表示装置。
【請求項３】
前記表示制御手段は、前記表示位置の移動に従って、なめらかに表示サイズを変更しつつ、複数段階で表示サイズを小さくする、
請求項１又は請求項２記載の表示装置。
【請求項４】
前記表示制御手段は、前記表示位置の移動に伴って、いずれかの表示情報の一部が表示画面外に位置することとなる場合に、表示の優先度に従って、表示画面内に表示位置を変更可能とする請求項１乃至請求項３のいずれかに記載の表示装置。
【請求項５】
通信ネットワークを介して入力された複数の表示対象の情報を表示画面に表示する表示装置で実行される表示制御方法において、
新たな表示対象の情報が入力される毎に、既に表示していた表示対象の情報の前記表示画面上の表示位置を、所定の渦巻き状の経路に沿って移動させる過程と、
表示対象の情報の表示サイズが前記経路上で徐々に小さくなるようにする過程と、
を備えている表示制御方法。
【請求項６】
通信ネットワークを介して入力された複数の表示対象の情報を表示画面に表示する表示装置をコンピュータにより制御するための制御プログラムであって、
前記コンピュータを、
新たな表示対象の情報が入力される毎に、既に表示していた表示対象の情報の前記表示画面上の表示位置を、所定の渦巻き状の経路に沿って移動させる手段と、
表示対象の情報の表示サイズが前記経路上で徐々に小さくなるようにする手段と、
して機能させる制御プログラム。
【発明の詳細な説明】
【技術分野】
【０００１】
本実施形態は、表示装置、表示制御方法及び制御プログラムに関する。
【背景技術】
【０００２】
従来、ショッピングモール等の商業施設や、地下街等においては、様々な場所に紙媒体あるいはデジタルサイネージ端末装置により広告や、イベント情報を掲示することが一般に行われている。
また、インターネット上のサイトにおいては、店舗の商品や、提供されるサービスについて、一般あるいは会員ユーザから提供された情報（例えば、口コミ情報）を収集して、一般に公開するものが知られている（例えば、特許文献１参照）。
【発明の概要】
【発明が解決しようとする課題】
【０００３】
ところで、ショッピングモール等の建物内でデジタルサイネージ端末装置を用いて顧客の口コミ情報を表示することを考えた場合には、口コミ情報を利用する顧客の立場からすれば、より新しい口コミ情報を得たいと思うのが一般的である。同様に新旧関係が容易に把握できることが好ましい。
【０００４】
さらに、新たな口コミ情報が投稿（入力）され、当該新たな口コミ情報を表示する必要が生じた場合には、表示の更新タイミングにおいて、既に表示していた口コミ情報を読んでいる途中の顧客が存在する可能性もあるため、表示の終了タイミングに至った口コミ情報以外の口コミ情報については、顧客が口コミ情報を読み続けられるように更新動作がなされるように配慮されていることが好ましい。
【課題を解決するための手段】
【０００５】
上記課題を解決するため、実施形態の表示装置は、入力された複数の表示対象の情報を表示画面に表示する表示装置において、新たな表示対象の情報が入力される毎に、既に表示していた表示対象の情報の前記表示画面上の表示位置を、所定の経路に沿って移動させるとともに、表示対象の情報の表示サイズが前記経路上で徐々に小さくなるようにする表示制御手段を備えている。
【０００６】
また、実施形態の表示制御方法は、通信ネットワークを介して入力された複数の表示対象の情報を表示画面に表示する表示装置で実行される表示制御方法において、新たな表示対象の情報が入力される毎に、既に表示していた表示対象の情報の前記表示画面上の表示位置を、所定の渦巻き状の経路に沿って移動させる過程と、表示対象の情報の表示サイズが前記経路上で徐々に小さくなるようにする過程と、を備えている。
【０００７】
また、実施形態の制御プログラムは、通信ネットワークを介して入力された複数の表示対象の情報を表示画面に表示する表示装置をコンピュータにより制御するための制御プログラムであって、前記コンピュータを、新たな表示対象の情報が入力される毎に、既に表示していた表示対象の情報の前記表示画面上の表示位置を、所定の渦巻き状の経路に沿って移動させる手段と、表示対象の情報の表示サイズが前記経路上で徐々に小さくなるようにする手段と、して機能させる。
【図面の簡単な説明】
【０００８】
【図１】図１は、実施形態の情報処理システムの概要構成ブロック図である。
【図２】図２は、デジタルサイネージ端末装置の外観正面図である。
【図３】図３は、デジタルサイネージ端末装置の概要構成ブロック図である。
【図４】図４は、携帯情報端末装置の概要構成ブロック図である。
【図５】図５は、携帯情報端末装置の表示画面説明図である。
【図６】図６は、情報配信サーバの概要構成ブロック図である。
【図７】図７は、デジタルサイネージ端末装置における投稿情報の表示制御の処理フローチャートである。
【図８】図８は、デジタルサイネージ端末装置の表示画面の一例の説明図である。
【図９】図９は、デジタルサイネージ端末装置の表示画面の詳細説明図である。
【図１０】図１０は、投稿情報の表示サイズの説明図である。
【発明を実施するための形態】
【０００９】
次に本発明の好適な実施形態について図面を参照して説明する。
図１は、実施形態の情報処理システムの概要構成ブロック図である。
以下においては、本実施形態の情報処理システムがショッピングモールで用いられる情報処理システムとして構築された場合について説明する。
【００１０】
情報処理システム１０は、商品の広告情報やイベントの情報及び顧客等から収集した口コミ等の投稿情報を配信する情報配信サーバ１１と、情報配信サーバ１１からＬＡＮ１２を介して配信された広告情報、イベント情報あるいは投稿情報を表示するとともに、ショッピングモールの顧客が携帯する携帯情報端末装置１３に対して、広告情報やイベント情報等の情報に関連する情報を配信する複数のデジタルサイネージ（Digital signage）端末装置１４と、携帯情報端末装置１３に対して、当該携帯情報端末装置１３の位置を特定するための位置特定情報を無線通信により通知する複数の位置情報端末装置１５と、を備えている。
【００１１】
さらに情報処理システム１０は、インターネット１７を介して、パーソナルコンピュータ等として構築され、情報配信サーバ１１に対して口コミ情報の投稿が可能な複数のユーザ端末装置１８を備えている。
この場合において、携帯情報端末装置１３のユーザ及びユーザ端末装置１８のユーザは、当該情報処理システム１０の利用会員として予め登録されており、口コミ情報の投稿に際しては、当該情報処理システム１０へログインする必要があるものとする。
上記構成において、ＬＡＮ１２としては、有線通信ネットワーク及び無線通信ネットワークのいずれか、あるいは、その混在であっても適用が可能である。
【００１２】
図２は、デジタルサイネージ端末装置の外観正面図である。
デジタルサイネージ端末装置１４は、液晶ディスプレイあるいはプラズマディスプレイとして構成されたディスプレイユニット２１と、各種チケット、クーポン等を印刷し、発行するプリンタユニット２２と、通信距離数ｃｍ〜１０ｃｍ程度の近距離無線通信により携帯情報端末装置１３との間の通信を行う近距離無線通信部２３と、ディスプレイユニット２１、プリンタユニット２２及び近距離無線通信部２３を支持する筐体部２４と、を備えている。
【００１３】
筐体部２４の上部には、ユーザを撮影して、画像認識を行い、ユーザの年齢層を特定し、配信する情報の種類を制御する等の用途に用いられるカメラユニット２５と、ＢＧＭや広告音声等の各種音響出力を行うスピーカユニット２６が内蔵されている。なお、画像認識等の処理は、デジタルサイネージ端末装置１４で行うことなく、情報配信サーバ１１等の上流側サーバで行うようにすることも可能である。
プリンタユニット２２としては、例えば、ロール紙を記録媒体とする感熱記録方式のプリンタ装置が用いられ、必要に応じてロール紙を自動的にカットするカット機構を備えている。
【００１４】
図３は、デジタルサイネージ端末装置の概要構成ブロック図である。
デジタルサイネージ端末装置１４は、上述したディスプレイユニット２１、プリンタユニット２２、カメラユニット２５及びスピーカユニット２６の他、当該デジタルサイネージ端末装置１４全体を制御するコントローラ３１と、オペレータあるいはユーザが各種操作を行うための操作部３２と、ＬＡＮ１２を介して情報配信サーバ１１との間で通信を行い、口コミ情報を含む各種情報を取得するためのネットワーク通信インタフェース（ＩＦ）３３と、近距離無線通信部２３を構成し、携帯情報端末装置１３に対して広告情報やイベント情報等の情報に関連する情報を配信するための情報配信用通信インタフェース（ＩＦ）３４と、各種データを記憶する外部記憶装置３５と、を備えている。
【００１５】
ここで、コントローラ３１は、当該コントローラ３１全体を制御するＭＰＵ３６と、ＭＰＵ３６が動作するための制御プログラム等を格納したＲＯＭ３７と、各種データを一時的に記憶するＲＡＭ３８と、を備えている。
また、操作部３２は、各種スイッチ、ボタン等で構成したり、タッチパネルとして液晶ディスプレイ等のディスプレイユニット２１と一体に構成したりすることも可能である。
【００１６】
また、情報配信用通信ＩＦ３４は、例えば、１３．５６ＭＨｚの周波数を用い、通信距離数ｃｍ〜１０ｃｍ程度の近距離無線通信方式の通信インタフェース動作を行う。
また、外部記憶装置３５としては、ハードディスク装置、フラッシュＲＯＭを内蔵したＳＳＤ（Solid State Drive）装置の他、ＥＥＰＲＯＭ等の不揮発性メモリを用いるようにしてもよい。
【００１７】
また、携帯情報端末装置１３に対して広告情報やイベント情報等の情報に関連する情報を配信するに際しては、情報配信用通信インタフェース（ＩＦ）３４を介した通信の他、ディスプレイユニット２１の表示画面上に例えば２次元バーコードを表示し、携帯情報端末装置１３のカメラにより撮影させてデコードさせることにより配信するように構成することも可能である。
【００１８】
図４は、携帯情報端末装置の概要構成ブロック図である。
携帯情報端末装置１３は、携帯情報端末装置１３全体を制御するコントローラ４１と、各種データを記憶するデータ記憶部４２と、各種情報の表示を行うディスプレイユニット４３と、タッチパネルとしてディスプレイユニット４３と一体に構成された操作部４４と、地磁気センサ等で構成され、携帯情報端末装置１３の進行方向を検出する方位センサ４５と、を備えている。
【００１９】
さらに携帯情報端末装置１３は、ジャイロセンサ等で構成され、携帯情報端末装置１３の姿勢変化に伴う傾斜（例えば、３軸）を検出する傾斜センサ４６と、デジタルサイネージ端末装置１４の情報配信用通信インタフェース（ＩＦ）３４を介して通信を行う第１情報取得用無線通信ユニット４７と、位置情報端末装置１５からの位置情報電波を受信して位置検出データをコントローラ４１に出力する位置検出用無線通信ユニット４８と、情報配信サーバ１１とＬＡＮ１２を介して通信を行う第２情報取得用無線通信ユニット４９と、ユーザが経路案内情報等を実撮影画像に重畳して表示させるための実撮影画像（動画像）を取得したり、デジタルサイネージ端末装置１４のディスプレイユニット２１の表示画面上に表示された２次元バーコード等の情報を読み取ったりするためのカメラユニット５０と、を備えている。
【００２０】
ここで、コントローラ４１は、当該コントローラ４１全体を制御する図示しないＭＰＵと、当該ＭＰＵが動作するための制御プログラム等を格納した図示しないＲＯＭと、各種データを一時的に記憶するＲＡＭと、を備えたマイクロコンピュータとして構成されている。
【００２１】
さらにコントローラ４１は、位置検出用無線通信ユニット４８から受信した位置情報データに基づいて、当該携帯情報端末装置１３の現在位置を検出する。そして、立ち寄りを希望する店舗等のユーザの指示及び情報配信サーバ１１から第２情報取得用無線通信ユニット４９を介して取得した配信データ（おすすめ経路に関するデータ等）に基づき、設定された立ち寄り店舗、立ち寄りスペース（イベント会場等）等の経由地点に関する情報（経由地点情報）を参照して、当該ユーザに対する案内経路を生成する。さらにコントローラ４１は、方位センサ４５及び傾斜センサ４６の検出信号に基づいて、生成した案内経路をユーザに提示しつつ経路案内を行う。
【００２２】
データ記憶部４２としては、ＥＥＰＲＯＭ等の不揮発性メモリが考えられる。このデータ記憶部４２には、各フロアの地図データ、各店舗の位置情報、イベント関連情報（イベント開催場所、イベント開催期間等）等の各種情報が記憶される。なお、これらの情報は、情報配信サーバ１１の制御下で、適宜更新される。
ディスプレイユニット４３としては、消費電力の少ない液晶ディスプレイや、表示更新時以外は電力消費のないカラー電子ペーパー等が望ましい。
【００２３】
第１情報取得用無線通信ユニット４７は、通信距離数ｃｍ〜十ｃｍ程度の近距離無線通信装置として構成されている。
第２情報取得用無線通信ユニット４９は、無線ＬＡＮ等を構築して、通信距離数ｍ〜数十ｍの無線通信装置として構成されている。
カメラユニット５０は、ＣＣＤあるいはＣＭＯＳイメージセンサを備え、カラー画像を静止画像あるいは動画像として撮影する。
【００２４】
図５は、携帯情報端末装置の表示画面説明図である。
携帯情報端末装置１３は、動作モードやユーザの好み（指示）に応じて縦向き及び横向きのいずれでも使用可能であるが、図５は、横向きで使用している場合の表示画面の一例である。
携帯情報端末装置１３のディスプレイユニット４３の表示画面４３Ａは、大別すると、メニュー表示操作領域５１と、画像表示領域５２と、を備えている。
【００２５】
メニュー表示操作領域５１には、ショッピングモールの各フロアのフロアガイド（店舗配置等の案内）や、ショッピングモール内での経路案内（ナビゲーション）を携帯情報端末装置１３に行わせるためのフロアナビモードに移行するためのフロアナビ選択ボタン５３と、ショッピングモール内の口コミ情報を参照したり、口コミ情報を投稿したりするための口コミモードに移行するための口コミ選択ボタン５４と、ショッピングモール内の商品の購入検討を行う購入検討モードに移行するための購入検討選択ボタン５５と、ショッピングモール内で開催されたイベント、開催中のイベント、あるいは、開催予定のイベントに関する情報を表示させるイベント情報モードに移行するためのイベント情報選択ボタン５６と、が備えられている。
【００２６】
さらにメニュー表示操作領域５１には、駐車スペースの配置等ショッピングモールの駐車場に関する情報を表示させる駐車場情報モードに移行するための駐車場情報選択ボタン５７と、ショッピングモール内の携帯情報端末装置１３を携行している同行者を呼び出すための呼出モードに移行するための呼出し選択ボタン５８と、あらかじめユーザが登録した情報等を表示させるためのマイデータボタン５９と、が備えられている。
【００２７】
上記各ボタン５３〜５９をタッチすることにより選択操作を行うと、選択したモードにサブモードが存在する場合には、当該タッチされたボタンに隣接された図示しないサブモード表示領域に当該サブモードに対応する一又は複数のサブモード選択ボタンが表示される。
【００２８】
上述したように、携帯情報端末装置１３の動作モードは階層構造を採っており、サブモードにさらに下位のサブモードが存在する場合には、サブモード選択ボタンをタッチすると当該サブモードに属するさらに下位のサブモード選択ボタンが表示されることとなる。
【００２９】
図６は、情報配信サーバの概要構成ブロック図である。
情報配信サーバ１１は、当該情報配信サーバ１１全体を制御するコントローラ６１と、各種情報を表示するディスプレイユニット６２と、各種情報の印刷出力を行うプリンタユニット６３と、オペレータが各種操作を行うための操作部６４と、ＬＡＮ１２あるいはインターネット１７を介して、携帯情報端末装置１３、デジタルサイネージ端末装置１４、位置情報端末装置１５あるいはユーザ端末装置１８との間で通信を行うためのネットワーク通信インタフェース（ＩＦ）６５と、各種データを記憶する外部記憶装置６６と、を備えている。
【００３０】
ここで、コントローラ６１は、当該コントローラ６１全体を制御するＭＰＵ６７と、ＭＰＵ６７が動作するための制御プログラム等を格納したＲＯＭ６８と、各種データを一時的に記憶するＲＡＭ６９と、を備えている。
【００３１】
また、外部記憶装置６６としては、ハードディスク装置、フラッシュＲＯＭを内蔵したＳＳＤ（Solid State Drive）装置等として構成されており、携帯情報端末装置１３あるいはユーザ端末装置１８から収集した投稿情報データを格納している投稿情報データベース（ＤＢ）７１を備えている。
【００３２】
次に実施形態の動作について説明する。
図７は、デジタルサイネージ端末装置における投稿情報の表示制御の処理フローチャートである。
図８は、デジタルサイネージ端末装置の表示画面の一例の説明図である。
まず、デジタルサイネージ端末装置１４のコントローラ３１は、ネットワーク通信ＩＦ３３を介して情報配信サーバ１１から新たな口コミ情報に対応する投稿情報データが新たな表示対象情報として入力されたか否かを判別する（ステップＳ１１）。
【００３３】
ステップＳ１１の判別において、新たな表示対象情報（投稿情報データ）が未だ入力されていない場合には（ステップＳ１１；Ｎｏ）、待機状態となる。
ステップＳ１１の判別において、新たな表示対象情報（投稿情報データ）が入力された場合には（ステップＳ１１；Ｙｅｓ）、図８に示すように、既にディスプレイユニット２１の表示画面上に表示している全ての投稿情報ＣＭのそれぞれについて新たな表示位置及び表示サイズを設定する（ステップＳ１２）。
【００３４】
図９は、デジタルサイネージ端末装置の表示画面の詳細説明図である。
図１０は、投稿情報の表示サイズの説明図である。
以下の説明においては、デジタルサイネージ端末装置１４の表示画面には、図９に示すように、例えば、最大で１１個の投稿情報ＣＭ（＝投稿情報ＣＭ１〜ＣＭ１１）が表示可能となっており、表示サイズとしては、例えば、図１０に示すように、大サイズ、中サイズ（大サイズの８２％のサイズ）、小サイズ（大サイズの６５％のサイズ）、最小サイズ（大サイズの５０％のサイズ）があるものとする。
【００３５】
本実施形態では、図９に示す投稿情報ＣＭ１〜ＣＭ３の位置（○内の数字が１〜３の位置）に表示する場合には大サイズとし、投稿情報ＣＭ４〜ＣＭ５の位置（○内の数字が４〜５の位置）に表示する場合には中サイズとし、投稿情報ＣＭ６〜ＣＭ９の位置（○内の数字が６〜９の位置）に表示する場合には小サイズとし、投稿情報ＣＭ１０〜ＣＭ１１の位置（○内の数字が１０〜１１の位置）に表示する場合には最小サイズとして表示するようにしている。
そして、新たな表示位置に投稿情報ＣＭを表示するに際しては、図９に示す渦巻き状の移動ラインＬＮに沿って、順次投稿情報ＣＭの表示位置が移動されるように、移行時の表示位置が算出される（ステップＳ１３）。
【００３６】
この表示位置の算出と並行して、移動中に投稿情報ＣＭの表示サイズを変更する必要がある場合には、移動ラインＬＮ上の移動距離に応じて、移動完了時に新たな表示サイズとなるように徐々に縮小するための表示サイズが算出される（ステップＳ１４）。
次にデジタルサイネージ端末装置１４のコントローラ３１は、通常通りの表示位置に表示を行うと、文字数等の関係で、表示すべき情報（の少なくとも一部）が画面範囲外となるものがあるか否かを判別する（ステップＳ１５）。具体的には、例えば、図９中、符号ＣＭ７Ｘの位置に投稿情報ＣＭ７が表示されてしまうような場合である。
【００３７】
ステップＳ１５の判別において、通常通りの表示位置に表示を行うと、文字数等の関係で、表示されている投稿情報の少なくとも一部が画面範囲外となるものがある場合には（ステップＳ１５；Ｙｅｓ）、コントローラは、投稿情報ＣＭのサイズ及び
表示の優先度（原則的には、新しい投稿情報ほど優先順位が高い）に従って、表示画面内に表示位置を変更する（ステップＳ１６）。具体的には、例えば、投稿情報ＣＭ７を符号ＣＭ７Ｘの位置から移動して、図９に示す投稿情報ＣＭ７の表示位置に移動する。この結果、投稿情報ＣＭの一部が欠けて、意味のない情報となってしまうのを防止することが可能となる。
【００３８】
ステップＳ１５の判別において、通常通りの表示位置に表示を行うと、文字数等の関係で、表示されている投稿情報の少なくとも一部が画面範囲外となるものがない場合には（ステップＳ１５；Ｎｏ）、ステップＳ１３で算出した表示位置に、ステップＳ１４で算出した表示サイズの投稿情報を表示すべく更新する（ステップＳ１７）。
続いて、デジタルサイネージ端末装置１４のコントローラ３１は、全ての投稿情報の表示位置の移動が完了したか否かを判別する（ステップＳ１８）。
【００３９】
ステップＳ１８の判別において、未だ全ての投稿情報の表示位置の移動が完了していない場合には（ステップＳ１８；Ｎｏ）、再び処理をステップＳ１３及びステップＳ１４に移行し、以下、同様の処理を全ての投稿情報の表示位置の移動が完了するまで繰り返す。
一方、ステップＳ１８の判別において、全ての投稿情報の表示位置の移動が完了した場合には（ステップＳ１８；Ｙｅｓ）、処理をステップＳ１１に移行し、以下、同様の処理を行う。
【００４０】
以上のような処理を行った場合の具体例を説明する。
まず、最も新しく表示対象となった新たな投稿情報（図９では、投稿情報ＣＭ１）は、ディスプレイユニット２１の中央部（○内の数字＝１に対応する表示画面の中心位置）に表示される。
そして、新たに表示対象の投稿情報が入力される度に、既にディスプレイユニット２１の表示画面上に表示されている投稿情報ＣＭ（＝ＣＭ１〜ＣＭ１１）は、渦巻き状の移動ラインＬＮに沿って、順次表示位置が時計回りに移動され、原則的には、各投稿情報の一つ前に表示が開始された投稿情報が表示されていた位置まで移動することとなる。このとき、移動ラインＬＮ上を引きずられていくようなイメージで表示位置が更新される。
【００４１】
したがって、デジタルサイネージ端末装置１４をたまたま見ているユーザが存在した場合でも、引きずられるように徐々に移動されている投稿情報ＣＭの内容を読み続けることが可能となっている。
さらに、投稿情報ＣＭは、投稿順が古くなるに従って、表示位置の移動に伴って、その表示サイズも徐々に小さくなるようにされている。
【００４２】
より詳細には、○内の数字＝１に対応する位置に表示されていた投稿情報ＣＭは、○内の数字＝２に対応する位置まで引きずられるように移動され、移動後は、さらに新たな投稿情報が入力されるまで当該○内の数字＝２に対応する位置に保持されることとなる。
【００４３】
同様に、○内の数字＝２に対応する位置に表示されていた投稿情報ＣＭは○内の数字＝３に対応する位置に移動され、○内の数字＝３に対応する位置に表示されていた投稿情報ＣＭは○内の数字＝４に対応する位置に移動され、…、○内の数字＝９に対応する位置に表示されていた投稿情報ＣＭは○内の数字＝１０に対応する位置に移動され、○内の数字＝１０に対応する位置に表示されていた投稿情報ＣＭは○内の数字＝１１に対応する位置に移動され、○内の数字＝１１に対応する位置に表示されていた投稿情報ＣＭは、表示画面外に位置することとなったとされて、表示が終了される。
【００４４】
以上の説明のように、本実施形態によれば、投稿情報を収集し、情報表示装置であるデジタルサイネージ端末装置１４に配信して表示させるに際し、新しい投稿情報ほどより大きく、より見易い画面の中央部（略中央部）へ表示する。すなわち、新たに表示すべき投稿情報が発生すると、表示画面の略中央部に大きく表示し、既に表示していた投稿情報については、徐々に渦巻き状の移動経路に沿って表示位置が変更されるとともに、そのサイズが小さくなってゆくので、画面表示を見るだけで、どの投稿情報がより新しいかを視覚的に、容易に把握することができ、ユーザが必要な情報を迅速かつ容易に取得することができる。
【００４５】
さらに、新たに表示すべき投稿情報が発生した場合の、表示位置の変更及び表示サイズの変更は、徐々になされるので、たまたま表示更新のタイミングで、投稿情報を読んでいる最中のユーザが存在したとしても、表示位置の移動は緩やかであり、読み続けることが可能となる。
【００４６】
以上の説明においては、投稿情報をデジタルサイネージ端末装置１４に表示する場合について説明したが、携帯情報端末装置１３あるいはユーザ端末装置１８の表示画面に表示する場合に同様に適用することも可能である。
以上の説明においては、新たに投稿情報を中央部に表示させる際の表示の態様については詳細に述べなかったが、既に表示していた投稿情報の移動に伴って、画面の奥からわき上がってくるようなイメージで、徐々に中央部で拡大表示するように構成することも可能である。
【００４７】
以上の説明においては、投稿情報の最大数を１１とし、表示サイズを４段階としていたが、表示画面のサイズや、解像度に応じて適宜変更することが可能である。
また、以上の説明では、投稿情報の移動経路を時計回りの渦巻き状としていたが、反時計回りの渦巻き状とすることも可能である。
【００４８】
本実施形態のデジタルサイネージ端末装置１４で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録して提供するように構成してもよい。
さらに、本実施形態のデジタルサイネージ端末装置１４で実行される制御プログラムを、インターネット等のネットワークに接続されたコンピュータ上に格納し、ネットワーク経由でダウンロードさせることにより提供するように構成してもよい。
また、本実施形態のデジタルサイネージ端末装置１４で実行される制御プログラムをインターネット等のネットワーク経由で提供又は配布するように構成してもよい。
【符号の説明】
【００４９】
１０    情報処理システム
１１    情報配信サーバ
１２    ＬＡＮ
１３    携帯情報端末装置
１４    デジタルサイネージ端末装置（表示装置）
１５    位置情報端末装置
１７    インターネット
１８    ユーザ端末装置
３１    コントローラ（表示制御装置）
３２    操作部
３５    外部記憶装置
３６    ＭＰＵ
３７    ＲＯＭ
３８    ＲＡＭ
ＣＭ１〜ＣＭ１１  投稿情報
【先行技術文献】
【特許文献】
【００５０】
【特許文献１】特開２００７−２２００８４号公報
【図１】
2012160081.tif 000003
【図２】
2012160081.tif 000004
【図３】
2012160081.tif 000005
【図４】
2012160081.tif 000006
【図５】
2012160081.tif 000007
【図６】
2012160081.tif 000008
【図７】
2012160081.tif 000009
【図８】
2012160081.tif 000010
【図９】
2012160081.tif 000011
【図１０】
2012160081.tif 000012